(57)【要約】【課題】薄板の材料を使用して堅牢な筐体を作製することができ、コストの削減を図ることができるスイッチギヤを得る。【解決手段】床板２２と一対の側面板２３，２４とを有する遮断器室筐体１９と、遮断器室筐体１９の内下部の２つの角部にそれぞれ設けられ、概略断面Ｌ字型を成し、垂直板部２５ａ，２６ａと水平板部２５ｂ，２６ｂとを有する一対のコーナーフレーム２５，２６と、両端部が垂直板部２５ａ，２６ａの主面に接続される中間フレーム２７と、中間フレーム２７の上に配置されるとともに対向する両辺部が、コーナーフレーム２５，２６の水平板部２５ｂ，２６ｂに重なって固定される遮断器クレードル床板７とを備え、引出型遮断器５は、遮断器クレードル床板７上に移動可能に載置されている。【選択図】        図１
2004350442.tif 000002
【特許請求の範囲】
【請求項１】
主回路に接続する接続位置と該主回路から離れた断路位置との間を移動可能に収納された引出型遮断器を内蔵するスイッチギヤにおいて、
概略直方体状を成し、床板と一対の側面板とを有する遮断器室筐体と、
前記遮断器室筐体の内部の前記床板と前記一対の側面板とが形成する２つの角部にそれぞれ設けられ、概略断面Ｌ字型を成し、前記床板から垂直に立設する垂直板部と前記床板に対して平行に延び前記側面板に接続する水平板部とをそれぞれ有する一対のコーナーフレームと、
前記一対のコーナーフレームの間に設けられ、両端部が前記垂直板部の主面に接続する中間フレームと、
概略矩形平板状を成し、前記中間フレームの上方に前記床板に対して平行に配置され、対向する両辺部が前記コーナーフレームの前記水平板部に重なるとともに該水平板部に固定される遮断器クレードル床板とを備え、
前記遮断器クレードル床板は、前記一対の側面板と協働して内部に前記引出型遮断器を収納する遮断器室を形成し、該引出型遮断器は該遮断器クレードル床板上に移動可能に載置されている
ことを特徴とするスイッチギヤ。
【請求項２】
前記コーナーフレームは、
前記垂直板部の床板側の長辺部が辺に沿って折り曲げられて形成された床板側折り曲げ部を有し、該床板側折り曲げ部を前記床板に密着させて該床板に固定され、
前記水平板部の側面板側の長辺部が辺に沿って折り曲げられて形成された側面板側折り曲げ部を有し、該側面板側折り曲げ部を前記側面板に密着させて該側面板に固定されている
ことを特徴とする請求項１に記載のスイッチギヤ。
【請求項３】
前記中間フレームは、断面コ字型である
ことを特徴とする請求項１または２に記載のスイッチギヤ。
【請求項４】
前記遮断器クレードル床板には、遮断器冷却用通風孔が穿孔され、
前記床板、前記一対のコーナーフレーム及び前記遮断器クレードル床板は、内部に冷却風を流通させる通風ダクトを形成し、
前記通風ダクトから前記遮断器冷却用通風孔を介して前記遮断器室に流入した冷却風は、前記引出型遮断器を冷却して、該遮断器室の天井から排気される
ことを特徴とする請求項１から３のいずれかに記載のスイッチギヤ。
【請求項５】
前記引出型遮断器の車輪を案内する車輪ガイドレールは、
前記遮断器クレードル床板の上の前記垂直板部の近傍に該垂直板部に沿って設けられている
ことを特徴とする請求項１から４のいずれかに記載のスイッチギヤ。
【発明の詳細な説明】
【０００１】
【発明の属する技術分野】
この発明は、引出型遮断器を内蔵するスイッチギヤに関し、特にコストを増加させることなく堅牢な筐体とすることができるスイッチギヤの筐体の構造に関するものである。
【０００２】
【従来の技術】
外部機器に接続する高圧電気回路としての主回路に対して、この主回路に接続する接続位置と当該主回路から離れた断路位置との間を移動可能に設けられた引出型遮断器を内蔵するスイッチギヤが従来提案されている（例えば、特許文献１参照）。
【０００３】
このようなスイッチギヤにおいては、引出型遮断器は、常時は接続位置にて位置決めされて主回路に接続され遮断器として動作し、さらにこの接続位置にあるときは、接地開閉器の投入を阻止するインタロックとして働き、一方、外部機器の保守・点検等の際には、断路位置に引き出されて接地開閉器の投入を可能とする。
【０００４】
【特許文献１】
特開平６−２６９１０５号公報
【０００５】
【発明が解決しようとする課題】
このような構成の従来のスイッチギヤにおいては、引出型遮断器は、一般に重量が大きく、開閉操作時の衝撃が大きく、さらに前後に移動させる際に生じる操作荷重がこれに加わるので、スイッチギヤの筐体は、引出型遮断器を収納する遮断器室周辺において、堅牢に作製されている。そして、遮断器室の床面を構成する遮断器クレードル床部に関しては、特に堅牢に作製されている。従来、これを実現するため、厚さの大きい板材を使用することにより堅牢に作製していた。しかしながら、これはコストが増加する原因になっており改善が望まれていた。
【０００６】
この発明は、上述のような課題を解決するためになされたもので、薄板の材料を使用して堅牢な筐体を作製することができ、コストの削減を図ることができるスイッチギヤを得ることを目的とする。
【０００７】
【課題を解決するための手段】
この発明に係るスイッチギヤは、主回路に接続する接続位置と主回路から離れた断路位置との間を移動可能に収納された引出型遮断器を内蔵するスイッチギヤにおいて、概略直方体状を成し、床板と一対の側面板とを有する遮断器室筐体と、遮断器室筐体の内部の床板と一対の側面板とが形成する２つの角部にそれぞれ設けられ、概略断面Ｌ字型を成し、床板から垂直に立設する垂直板部と床板に対して平行に延び側面板に接続する水平板部とをそれぞれ有する一対のコーナーフレームと、一対のコーナーフレームの間に設けられ、両端部が垂直板部の主面に接続する中間フレームと、概略矩形平板状を成し、中間フレームの上方に床板に対して平行に配置され、対向する両辺部がコーナーフレームの水平板部に重なるとともに水平板部に固定される遮断器クレードル床板とを備え、遮断器クレードル床板は、一対の側面板と協働して内部に引出型遮断器を収納する遮断器室を形成し、引出型遮断器は遮断器クレードル床板上に移動可能に載置されている。
【０００８】
【発明の実施の形態】
実施の形態１．
図１はこの発明のスイッチギヤの側断面図である。図２はスイッチギヤの筐体が４つの筐体に分割されていることを説明する斜視図である。図３は遮断器室筐体の主要構成部品を示す分解斜視図である。図４は図１の遮断器室部分のＩＶ−ＩＶ線に沿う矢視断面図である。図５は遮断器室の下部を示す図４のＶ−Ｖ線に沿う矢視断面図である。図６は遮断器室の下部を示す図４のＶＩ−ＶＩ線に沿う矢視断面図である。
【０００９】
図１において、閉鎖箱、及びコンパートメントを構成する仕切板を太線にて示している。スイッチギヤの概略中央部に設けられた遮断器室３９内に、引出型遮断器５が収納されている。遮断器室３９の奥行き方向の壁を成す碍管取付フレームには、２系統の高圧回路にそれぞれ電気的に接続するブッシング６が設けられている。
【００１０】
一方のブッシング６は、主母線室４０内の分岐導体２を介して主母線１と電気的に接続されている。分岐導体２は、碍子３によって取付フレーム４から絶縁支持されている。他方のブッシング６は、ケーブル室４１内の計器用変流器８及び分岐導体９を介して外部機器に接続するケーブル１０と電気的に接続されている。引出型遮断器５は、裏面に設けられたコネクタ５ａをブッシング６内で、固定接点に接続している。ブッシング６の下方に接地開閉器１１が設けられている。
【００１１】
遮断器室３９の上方には、図示しない保護リレー、メータ、及び真空遮断器を開閉するスイッチ等を収納した制御室１５が設けられている。また、遮断器室３９の天井には、スイッチギヤ内部の故障時の内部圧力上昇を緩和する目的で、所定値以上の圧力を放圧する天井放圧フラッパ１２が設けられている。また、スイッチギヤが設置された位置の例えば工場等の床には、制御ケーブルや主回路ケーブルを収納するケーブルピット１７が掘られている。
【００１２】
引出型遮断器５は、遮断器クレードル床板７上に載置され、下部に取り付けられた車輪５ｃによって、スイッチギヤに向かって前後方向（図１の左右方向）に移動可能とされている。引出型遮断器５は、常時は図１に示された接続位置に位置決めされて、外部機器に延びるケーブル１０や主母線１が構成する高圧電気回路としての主回路に接続され遮断器として動作する。さらに引出型遮断器５は、この接続位置にあるときには、接地開閉器１１の投入を防止するインタロックとしても働く。一方、例えば、ケーブル１０の接続する図示しない外部機器の保守・点検等の際には、作業者によって引き出され、図１に示された接続位置から所定の距離だけ図１の左方向に移動した断路位置に位置決めされ、ブッシング６から離間するとともに、接地開閉器１１の投入を可能とする。
【００１３】
図２において、スイッチギヤの筐体は、制御室筐体１８、遮断器室筐体１９、主母線室筐体２０、ケーブル室筐体２１の４つの筐体から構成されている。
【００１４】
図３から図６において、遮断器室筐体１９は、概略直方体状を成し、図３に示されるように、主な構成部材として、スイッチギヤ床板（床板）２２、一対の遮断器室筐体側面板（側面板）２３，２４、一対のコーナーフレーム２５，２６、中間フレーム２７、碍管取付フレーム２８、幅方向フレーム２９を有している。遮断器室筐体１９において、スイッチギヤ床板２２の両端部には、それぞれ、遮断器室筐体側面板２３，２４の下端部が直角に接続されている。
【００１５】
遮断器室筐体１９の内部において、スイッチギヤ床板２２と一対の遮断器室筐体側面板２３，２４とが形成する対向する角部にそれぞれコーナーフレーム２５，２６が設けられている。コーナーフレーム２５，２６は、薄板材料を折り曲げて作製され、図６によく示されるように、概略断面Ｌ字型を成し、遮断器室筐体１９の奥行き方向に延びている。
【００１６】
コーナーフレーム２５は、スイッチギヤ床板２２から垂直に立設する垂直板部２５ａとスイッチギヤ床板２２に対して平行に延び遮断器室筐体側面板２３に接続する水平板部２５ｂとを有している。コーナーフレーム２５は、さらに垂直板部２５ａの床板側の長辺部が辺に沿って細長く一部折り曲げられて形成された床板側折り曲げ部２５ｃと、水平板部２５ｂの遮断器室筐体側面板側の長辺部が辺に沿って細長く一部折り曲げられて形成された側面板側折り曲げ部２５ｄとを有している。そして、コーナーフレーム２５は、床板側折り曲げ部２５ｃをスイッチギヤ床板２２に対向させて密着させ、この部分をねじ又はリベットによってスイッチギヤ床板２２に締結され、また、同じように側面板側折り曲げ部２５ｄを遮断器室筐体側面板２３に対向させて密着させ、この部分を同じくねじ又はリベットによって遮断器室筐体側面板２３に締結されている。
【００１７】
コーナーフレーム２６は、コーナーフレーム２５と概略面対称な構造を成し、スイッチギヤ床板２２から垂直に立設する垂直板部２６ａとスイッチギヤ床板２２に対して平行に延び遮断器室筐体側面板２３に接続する水平板部２６ｂとを有し、垂直板部２６ａの床板側に形成された床板側折り曲げ部２６ｃと、水平板部２６ｂの遮断器室筐体側面板側に形成された側面板側折り曲げ部２６ｄとを有している。そして、コーナーフレーム２６は、床板側折り曲げ部２６ｃをスイッチギヤ床板２２に締結され、側面板側折り曲げ部２６ｄを遮断器室筐体側面板２４に締結されている。
【００１８】
また、一対のコーナーフレーム２５，２６の間に断面コ字型の中間フレーム２７が設けられている。中間フレーム２７は、両端部に設けられた折り曲げ部を、それぞれコーナーフレーム２５，２６の垂直板部２５ａ，２６ａの主面に対向させて密着させ、この部分をねじ又はリベットによって締結されている。
【００１９】
さらに、一対のコーナーフレーム２５，２６の間の空間及び中間フレーム２７を覆うように矩形薄板状の遮断器クレードル床板７が配設されている。遮断器クレードル床板７は、対向する両辺部をコーナーフレーム２５，２６の水平板部２５ｂ，２６ｂに重ね、さらにこの両辺部を水平板部２５ｂ，２６ｂにねじで締結されている。遮断器クレードル床板７は、遮断器室筐体側面板２３，２４とともに、内部に引出型遮断器５を収納する遮断器室３９（図１）を形成している。
【００２０】
また、遮断器クレードル床板７の上面に、引出型遮断器５の車輪を案内する２本の断面コ字型の車輪ガイドレール３０が、コ字型を対向させるように平行に配設されている。車輪ガイドレール３０は、遮断器クレードル床板７上にて、垂直板部２５ａ，２６ａの近傍に、この垂直板部２５ａ，２６ａに沿うように設けられている。
【００２１】
さらに、遮断器クレードル床板７には、遮断器冷却用通風孔３４が穿孔されている。一方、スイッチギヤ床板２２、一対のコーナーフレーム２５，２６及び遮断器クレードル床板７は、内部に冷却風を流通させる通風ダクトを形成している。そして、この通風ダクトから遮断器冷却用通風孔３４を介して遮断器室に流入した冷却風は、引出型遮断器を冷却して、遮断器室の天井から排気される（図１に冷却風の流れを矢印１６ａ，１６ｂで示している）。
【００２２】
以上のように、この実施の形態のスイッチギヤは、概略直方体状を成し、スイッチギヤ床板２２と一対の遮断器室筐体側面板２３，２４とを有する遮断器室筐体１９を有している。
【００２３】
そして、遮断器室筐体１９の内部のスイッチギヤ床板２２と一対の遮断器室筐体側面板２３，２４とが形成する２つの角部にそれぞれ設けられ、概略断面Ｌ字型を成し、スイッチギヤ床板２２から垂直に立設する垂直板部２５ａ，２６ａとスイッチギヤ床板２２に対して平行に延び遮断器室筐体側面板２３，２４に接続する水平板部２５ｂ，２６ｂとを有する一対のコーナーフレーム２５，２６を有している。
【００２４】
そしてさらに、一対のコーナーフレーム２５，２６の間に中間フレーム２７が設けられ、この中間フレーム２７の両端部は、垂直板部２５ａ，２６ａの主面に接続されている。さらに、スイッチギヤは、中間フレーム２７の上に配置されるとともに対向する両辺部が、コーナーフレーム２５，２６の水平板部２５ｂ，２６ｂに重なるとともに水平板部２５ｂ，２６ｂに締着される遮断器クレードル床板７とを有している。
【００２５】
そして、遮断器クレードル床板７は、一対の遮断器室筐体側面板２３と協働して内部に引出型遮断器５を収納する遮断器室３９を形成し、引出型遮断器５は、遮断器クレードル床板７上に移動可能に載置されている。
【００２６】
そのため、引出型遮断器５の荷重及び引出型遮断器５を移動する際に発生する操作荷重は、一対のコーナーフレーム２５，２６と、中間フレーム２７に分散される。そのため、薄板の材料でも所定の強度を有する堅牢な筐体を作製することができ、コストの削減を図ることができる。それとともに、この実施の形態のスイッチギヤは、筐体全体で遮断器クレードル床板７を支持固定する構造にされているため、盤据付け面の仕上り精度の影響を受けない、据付の容易なスイッチギヤ構造を得ることができる。
【００２７】
また、コーナーフレーム２５，２６は、垂直板部２５ａ，２６ａのスイッチギヤ床板２２側の長辺部が一部折り曲げられて形成された床板側折り曲げ部２５ｃ，２６ｃをスイッチギヤ床板２２に対向させてスイッチギヤ床板２２に固定され、水平板部２５ｂ，２６ｂの遮断器室筐体側面板２３，２４側の長辺部が一部折り曲げられて形成された側面板側折り曲げ部２５ｄ，２６ｄを遮断器室筐体側面板２３，２４に対向させて遮断器室筐体側面板２３，２４に固定されている。そのため、コーナーフレーム２５，２６の固定を容易に行うことができるとともに、さらにＬ字型に曲げられた部分が増えるので、薄板の材料でも堅牢な筐体を作製することができ、コストの削減を図ることができる。
【００２８】
さらに、中間フレーム２７は、断面コ字型であるので、一対のコーナーフレーム２５，２６の対向する垂直板部２５ａ，２６ａが垂直方向、及び水平方向にゆがむことなく、薄板の材料でもさらに堅牢な筐体を作製することができ、さらにコストの削減を図ることができる。
【００２９】
また、遮断器クレードル床板７には、遮断器冷却用通風孔３４が穿孔され、スイッチギヤ床板２２、一対のコーナーフレーム２５，２６及び遮断器クレードル床板７は、内部に冷却風を流通させる通風ダクトを形成し、この通風ダクトから遮断器冷却用通風孔３４を介して遮断器室３９に流入した冷却風は、引出型遮断器５を冷却して、遮断器室３９の天井から排気されるので、引出型遮断器５の冷却を効率よく行うことができる。
【００３０】
さらにまた、引出型遮断器５の車輪５ｃを案内する車輪ガイドレール３０が、遮断器クレードル床板７の上の垂直板部２５ａ，２６ａの近傍に垂直板部２５ａ，２６ａに沿って設けられている。そのため、引出型遮断器５の荷重が直接垂直板部２５ａ，２６ａに掛かり、遮断器クレードル床板７の撓みが小さくなるので、さらに堅牢な筐体を作製することができ、コストの削減を図ることができる。
【００３１】
【発明の効果】
この発明に係るスイッチギヤは、主回路に接続する接続位置と主回路から離れた断路位置との間を移動可能に収納された引出型遮断器を内蔵するスイッチギヤにおいて、概略直方体状を成し、床板と一対の側面板とを有する遮断器室筐体と、遮断器室筐体の内部の床板と一対の側面板とが形成する２つの角部にそれぞれ設けられ、概略断面Ｌ字型を成し、床板から垂直に立設する垂直板部と床板に対して平行に延び側面板に接続する水平板部とをそれぞれ有する一対のコーナーフレームと、一対のコーナーフレームの間に設けられ、両端部が垂直板部の主面に接続する中間フレームと、概略矩形平板状を成し、中間フレームの上方に床板に対して平行に配置され、対向する両辺部がコーナーフレームの水平板部に重なるとともに水平板部に固定される遮断器クレードル床板とを備え、遮断器クレードル床板は、一対の側面板と協働して内部に引出型遮断器を収納する遮断器室を形成し、引出型遮断器は遮断器クレードル床板上に移動可能に載置されているので、薄板の材料を使用して堅牢な筐体を作製することができ、コストの削減を図ることができる。
【図面の簡単な説明】
【図１】この発明のスイッチギヤの側断面図である。
【図２】スイッチギヤの筐体が４つの筐体に分割されていることを説明する斜視図である。
【図３】遮断器室筐体の主要構成部品を示す分解斜視図である。
【図４】図１の遮断器室部分のＩＶ−ＩＶ線に沿う矢視断面図である。
【図５】遮断器室の下部を示す図４のＶ−Ｖ線に沿う矢視断面図である。
【図６】遮断器室の下部を示す図４のＶＩ−ＶＩ線に沿う矢視断面図である。
【符号の説明】
１  主母線、２  分岐導体、３  碍子、４  取付フレーム、５  引出型遮断器、６  ブッシング、７  遮断器クレードル床板、８  計器用変流器、９  分岐導体、１０  ケーブル、１１  接地開閉器、１２  天井放圧フラッパ、１５  制御室、１６ａ，１６ｂ  空気の流れ、１７  ケーブルピット、１８  制御室筐体、１９  遮断器室筐体、２０  主母線室筐体、２１  ケーブル室筐体、２２  スイッチギヤ床板（床板）、２３，２４  遮断器室筐体側面板（側面板）、２５，２６  コーナーフレーム、２７  中間フレーム、２８  碍管取付フレーム、２９  幅方向フレーム、３０  車輪ガイドレール、３１  真空遮断器ロック板、３２  接地導体、３３  基礎ボルト用穴、３４  遮断器冷却用通風孔、３９  遮断器室、４０  主母線室、４１  ケーブル室筐体。
【図１】
2004350442.tif 000003
【図２】
2004350442.tif 000004
【図３】
2004350442.tif 000005
【図４】
2004350442.tif 000006
【図５】
2004350442.tif 000007
【図６】
2004350442.tif 000008